(57)【特許請求の範囲】
【請求項１】
ベース板を備えたケースの前面開口に、縦横に並んで複数のキートップが配置されるとともに、各キートップが前記ベース板に押込可能にそれぞれ支持されたキーボードに装着されるキーボード用ミスタッチ防止枠であって、
前記複数のキートップの外周に沿って配置される外枠部と、
前記外枠部の内側に固定され、かつ横方向に隣り合うキートップ間に配置される縦枠部と、
前記外枠部の内側に固定され、かつ縦方向に隣り合うキートップ間に配置される横枠部と、
前記縦枠部の後端に固定され、かつ横方向に隣り合うキートップ間に差し込まれて前記ベース板に当接する縦差込片と、
前記横枠部の後端に固定され、かつ縦方向に隣り合うキートップ間に差し込まれて前記ベース板に当接する横差込片とを備え
前記外枠部に前記ケース内に差し込まれる部位が設けられず、前記外枠部が前記前面開口よりも前方に配置されるようになっていることを特徴とするキーボード用ミスタッチ防止枠。
【請求項２】
前記キーボードに対し取外可能になっている請求項１に記載のキーボード用ミスタッチ防止枠。
【請求項３】
前記縦枠部および前記横枠部は、その前端部が、他の部分よりも肉厚が厚く形成されている請求項１または２に記載のキーボード用ミスタッチ防止枠。
【請求項４】
前記縦枠部および前記横枠部の前端面が円弧状の断面に形成されている請求項１〜３のいずれか１項に記載のキーボード用ミスタッチ防止枠。
【請求項５】
前記差込片における前記縦枠部および前記横枠部の交差部を除く部分に、切欠部が形成されている請求項１〜４のいずれか１項に記載のキーボード用ミスタッチ防止枠。
【請求項６】
前記キーボードは、キャッシュレジスターの情報入力手段を構成するものであり、そのキーボードにおけるテンキー部に装着される請求項１〜５のいずれか１項に記載のキーボード用ミスタッチ防止枠。
【発明の詳細な説明】
【技術分野】
【０００１】
この発明は、例えばキャッシュレジスターやパーソナルコンピュータ等の情報入力手段としてのキーボード、特にキーボードのテンキー部に装着されるキーボード用ミスタッチ防止枠に関する。
【背景技術】
【０００２】
従来、スーパーマーケットやコンビニエンスストア等において、レジカウンター（キャッシュカウンター）に設置されているキャッシュレジスターにおいて、入力手段としてキーボードが設置されている。このキーボードは通常、テンキーを装備している。
【０００３】
テンキー等のキーボードは、ケースの前面開口に、複数のキートップが縦横に並んで配置されて、ケースに押込可能に支持されている。
【０００４】
そしていずれかのキートップを押操作した際には、当該キートップに割り付けられた情報に対応する信号を入力できるようになっている。
【０００５】
このようなテンキーを用いて、数値等の情報を正確かつスピーディに入力するには、かなりの熟練度が必要となる。
【０００６】
そこで、パーソナルコンピュータのキーボードにおいて、ミスタッチを防止するためのミスタッチ防止枠が従来より提案されている。
【０００７】
例えば下記特許文献１，２に示すキーボード用ミスタッチ防止枠は、キーボードにおける複数のキートップの外周に配置される外周板と、外周板の内側に固定され、かつ隣り合うキートップ間に配置される仕切板とを備えている。
【０００８】
このミスタッチ防止枠は、外周板をケースの前面開口周縁部とキートップとの間の隙間に差し込むとともに、仕切板をキートップの各間に差し込むことにより、キーボードに装着されるものである。
【先行技術文献】
【特許文献】
【０００９】
【特許文献１】実開平３−３０３８号公報
【特許文献２】実開平５−３３４２９号公報
【発明の概要】
【発明が解決しようとする課題】
【００１０】
ところで、従来のキーボードにおいては、美観等を考慮して、最外側に配置されるキートップと、ケースの前面開口周縁部との隙間が非常に狭く設定されたものがある。このような外周隙間が非常に狭いキーボードに、上記従来のミスタッチ防止枠を装着しようとすると、外周板を外周隙間に差し込むことができず、ミスタッチ防止枠を確実に装着することができないという課題があった。
【００１１】
なお外周板を外周隙間に無理やり差し込むと、その差し込まれた外周板によってキートップがロックされてしまい、キートップを押操作できず、快適なキー入力操作を行うことができなくなってしまう。
【００１２】
この発明は、上記の課題に鑑みてなされたものであり、キーボードに確実に装着することができるキーボード用ミスタッチ防止枠を提供することを目的とする。
【課題を解決するための手段】
【００１３】
上記課題を解決するため、本発明は、以下の手段を備えるものである。
【００１４】
［１］ベース板を備えたケースの前面開口に、縦横に並んで複数のキートップが配置されるとともに、各キートップが前記ベース板に押込可能にそれぞれ支持されたキーボードに装着されるキーボード用ミスタッチ防止枠であって、
前記複数のキートップの外周に沿って配置される外枠部と、
前記外枠部の内側に固定され、かつ横方向に隣り合うキートップ間に配置される縦枠部と、
前記外枠部の内側に固定され、かつ縦方向に隣り合うキートップ間に配置される横枠部と、
前記縦枠部の後端に固定され、かつ横方向に隣り合うキートップ間に差し込まれて前記ベース板に当接する縦差込片と、
前記横枠部の後端に固定され、かつ縦方向に隣り合うキートップ間に差し込まれて前記ベース板に当接する横差込片とを備え
前記外枠部に前記ケース内に差し込まれる部位が設けられず、前記外枠部が前記前面開口よりも前方に配置されるようになっていることを特徴とするキーボード用ミスタッチ防止枠。
【００１５】
［２］前記キーボードに対し取外可能になっている前項１に記載のキーボード用ミスタッチ防止枠。
【００１６】
［３］前記縦枠部および前記横枠部は、その前端部が、他の部分よりも肉厚が厚く形成されている前項１または２に記載のキーボード用ミスタッチ防止枠。
【００１７】
［４］前記縦枠部および前記横枠部の前端面が円弧状の断面に形成されている前項１〜３のいずれか１項に記載のキーボード用ミスタッチ防止枠。
【００１８】
［５］前記差込片における前記縦枠部および前記横枠部の交差部を除く部分に、切欠部が形成されている前項１〜４のいずれか１項に記載のキーボード用ミスタッチ防止枠。
【００１９】
［６］前記キーボードは、キャッシュレジスターの情報入力手段を構成するものであり、そのキーボードにおけるテンキー部に装着される前項１〜５のいずれか１項に記載のキーボード用ミスタッチ防止枠。
【発明の効果】
【００２０】
発明［１］のキーボード用ミスタッチ防止枠によれば、外枠部に、キーボードのケース内に差し込まれる部位が存在しないため、キー外周に隙間がほとんど形成されないようなキーボードであっても、そのキー外周隙間に何も差し込む必要がないので、確実に装着することができる。
【００２１】
発明［２］のキーボード用ミスタッチ防止枠によれば、キーボードに後付けで取り付けることができる。
【００２２】
発明［３］のキーボード用ミスタッチ防止枠によれば、十分な強度を確保でき、不用意に破損してしまうような不具合を確実に防止することができる。
【００２３】
発明［４］のキーボード用ミスタッチ防止枠によれば、キー入力操作時に指が縦枠部および横枠部に触れた際に、指が所定の方向にスムーズにガイドされて、より一層正確にキー入力操作を行うことができる
発明［５］のキーボード用ミスタッチ防止枠によれば、差込片のキートップ間に挿入する部分が少なくなり、差込片を、より一層簡単に差し込むことができ、キーボードに、より一層簡単に装着することができる。
【００２４】
発明［６］のキーボード用ミスタッチ防止枠によれば、テンキー部に確実に装着することができる。
【図面の簡単な説明】
【００２５】
【図１】図１はこの発明の実施形態であるミスタッチ防止枠が適用されたキャッシュレジスターの情報入力装置を示す正面図である。
【図２】図２は実施形態の情報入力装置におけるテンキー部の断面図である。
【図３】図３は実施形態の情報入力装置のテンキー部をミスタッチ防止枠を離間した状態で示す断面図である。
【図４】図４は実施形態のミスタッチ防止枠を示す斜視図である。
【図５】図５は実施形態のミスタッチ防止枠を示す正面図である。
【図６】図６は図５のＡ−Ａ線断面図である。
【図７】図７は図５のＢ−Ｂ線断面図である。
【図８】図８はこの発明の変形例であるミスタッチ防止枠を示す斜視図である。
【図９】図９は図８のＣ−Ｃ線断面図である。
【図１０】図１０は図８のＤ−Ｄ線断面図である。
【発明を実施するための形態】
【００２６】
図１はこの発明の実施形態であるミスタッチ防止枠が適用されたキャッシュレジスターの情報入力装置（情報入力手段）５を示す正面図である。なお、以下の説明においては、図１の紙面に向かって手前側を前側（前方）とし、奥行き側を後側（後方）として説明する。さらに図１の紙面に向かって上下方向を縦方向とし、左右方向を横方向として説明する。
【００２７】
同図に示すように、このキャッシュレジスターは、電子式のものであり、例えばスーパーマーケットやコンビニエンスストア等のレジカウンターに設置されている。このキャッシュレジスターの情報入力装置５には、タッチパネル５１の他、キーボード５２を備えている。
【００２８】
キーボード５２には、入力キーとしてのキートップ６５が縦横に多数並んで配置されている。そして本実施形態においては、キーボード５２におけるキートップ６５の一部、すなわち図１に示すように、「００」「０」「１」〜「９」の数値が表記された１１個のキートップ６５によって、テンキー部５３が構成されている。
【００２９】
なおテンキー部５３を構成するキートップ６５に表記されている数値は、テンキー部５３のキートップ６５に実際に記入されているものであり、本実施形態を説明する際に用いる参照符号とは無関係である。
【００３０】
図２および図３は情報入力装置５のテンキー部５３の断面図である。なお図２および図３においては、両図の紙面に向かって上方が前方となり、下方が後方となっている。
【００３１】
図１〜図３に示すように、情報入力装置５は、ケース６を備え、そのケース６内には、ベース板６１が設けられている。さらにケース６におけるキーボード部分の前面パネル部には、ケース６内を前方に開放している前面開口６３が設けられている。その前面開口６３には、既述したように縦方向および横方向に並んで多数のキートップ６５が配置されている。
【００３２】
図２および図３に示すように、情報入力装置５内のベース板６１には、各キートップ６５の配置位置に対応して、キートップ取付部６２がそれぞれ設けられている。各キートップ取付部６２には、前後方向にスライド自在にキートップ支持体６４がそれぞれ取り付けられている。
【００３３】
各キートップ支持体６４の前端部には、上記各キートップ６５がそれぞれ固定されている。これにより、各キートップ６５は、キートップ支持体６４を介して前後方向にスライド自在にベース板６１に支持される。
【００３４】
またキートップ支持体６４は、図示しない付勢手段によって、前方に付勢されている。そしてこの付勢手段に抗して、キートップ６５を後方へ押込可能に構成されるとともに、押込力を解除した際には、上記付勢手段の付勢力によってキートップ支持体６４が前方へ突出して、キートップ６５が前方突出状態（自然状態）に復帰するようになっている。
【００３５】
さらにキートップ６５を押操作した際には、当該キートップ６５に割り付けられた情報に対応する信号が入力されるようになっている。
【００３６】
一方、図２〜図７に示すように、本実施形態の特徴部であるミスタッチ防止枠１は、情報入力装置５におけるキーボード５２のテンキー部５３に脱着自在に装着される。
【００３７】
ミスタッチ防止枠１は、テンキー部５３を構成するキートップ６５の外周に沿って配置される矩形状の外枠部１１と、外枠部１１の内側に固定され、かつ横方向に隣り合うキートップ６５，６５間に配置される縦枠部１２と、外枠部１１の内側に固定され、かつ縦方向に隣り合うキートップ６５，６５間に配置される横枠部１３とを備えている。
【００３８】
この構成において、ミスタッチ防止枠１は、矩形状の外枠部１１内に、縦枠部１２および横枠部１３が格子状に配置されて、各枠部１１〜１３によって区分けされた領域が、マス目１５として構成されている。言うまでもなくマス目１５は、テンキー部５３を構成する１１個のキートップ６５にそれぞれ対応して１１個形成されている。
【００３９】
なお、テンキーは、数値の「０」を入力するキートップ６５が、他の数値を入力するキートップ６５よりも横サイズがほぼ２倍になっている。従って、ミスタッチ防止枠１における「０」の入力キーに対応するマス目１５は、他の入力キーに対応するマス目１５よりも横幅がほぼ２倍に設定されている。換言すれば、２本の縦枠部１２のうち、左側の縦枠部１２は、最下段の横枠部１３と、外枠部１１の下枠部との間には設けられていない。
【００４０】
図６および図７に示すように、各枠部１１〜１３は、前端面が円弧状の断面に形成されており、前端部から後端部にかけて肉厚が次第に薄くなるような形状に形成されている。つまり、各枠部１１〜１３は、前端部が、他の部分よりも肉厚が厚く形成されている。
【００４１】
各枠部１１〜１３の前端縁は、それぞれ同一平面内に配置されており、前後方向において互いに同じ位置に配置されている。
【００４２】
縦枠部１２の後端には、後方に延びるように、薄板状の縦差込片２２が取り付けられている。さらに横枠部１３の後端には、後方に延びるように、薄板状の横差込片２３が取り付けられている。これにより、ミスタッチ防止枠１の裏面側には、縦差込片２２および横差込片２３が格子状に配置されている。
【００４３】
縦差込片２２は、横方向に隣り合うキートップ６５，６５間の隙間に差し込まれて、下端がケース６内においてベース板６１に当接できるようになっている。
【００４４】
横差込片２３は、縦方向に隣り合うキートップ６５，６５間の隙間に差し込まれて、下端がケース６内においてベース板６１に当接できるようになっている。
【００４５】
なお、外枠部１１には、差込片２２，２３に相当する部位は取り付けられていない。従ってこの外枠部１１の部分は、前面開口６３を介してケース６内に差し込まれるような部位が存在しない。
【００４６】
以上のように構成されたミスタッチ防止枠１をキーボード５２のテンキー部５３に嵌め込む。このとき、ミスタッチ防止枠１の外枠部１１を、テンキー部５３を構成するキートップ６５の外周に配置し、さらに縦枠部１２を横方向に隣り合うキートップ６５，６５間に配置するとともに、横枠部１３を縦方向に隣り合うキートップ６５，６５間に配置しつつ、縦差込片２２を、横方向に隣り合うキートップ６５，６５間に差し込むとともに、横差込片２３を、縦方向に隣り合うキートップ６５，６５間に差し込む。そして、隣り合うキートップ６５，６５間に差し込んだ差込片２２，２３をケース６内に挿入して、差込片２２，２３の後端（先端）をベース板６１に当接させる。この当接によって、ミスタッチ防止枠１がベース板６１に支持される。
【００４７】
図２に示すように、この装着状態においては、ミスタッチ防止枠１の各枠部１１〜１３は、ケース６の前面開口６３よりも前方に配置され、さらに各枠部１１〜１３の前端は、キートップ６５の前端よりも前方に配置されている。
【００４８】
この装着状態においては、各キートップ６５を取り囲むように、枠部１１〜１３が配置されるため、キー入力する際に例えば、指が目的のキートップ６５から位置ずれしてしまった場合には、枠部１１〜１３に当たって、目的のキートップ６５にガイドされる。このため、目的のキートップ６５に隣接するキートップ６５を謝って押し込むようなことがなく、正確かつスピーディにキー入力操作を行うことができる。
【００４９】
さらに本実施形態においては、各枠部１１〜１３の前端面を円弧状の断面に形成しているため、キー入力時に指が各枠部１１〜１３の前端面に触れた際に、所定の方向に指がスムーズにガイドされて、より一層正確にキー入力操作を行うことができるとともに、各枠部１１〜１３に指が触れた際に、当たりが柔らかくなり、不快感がなく、快適なキー入力操作を継続して行うことができる。
【００５０】
ところで、本実施形態におけるミスタッチ防止枠１は、外枠部１１に、差込片のようなケース６内に挿入する部位を設けていないため、テンキー部５３に確実に装着することができる。
【００５１】
すなわち通常用いられるキーボード５２のテンキー部５３においては、最も外側に配置される最外側のキートップ６５と、ケース６における前面開口６３の周縁部との間に、隙間がほとんど形成されないものがある。このようにキー外周に隙間がほとんど形成されないテンキー部５３に対し、仮に外枠部１１に差込片が設けられたミスタッチ防止枠を装着しようとすると、外枠部１１の差込片を、外周の隙間に差し込むことができず、ミスタッチ防止枠をテンキー部５３に確実に装着できない場合がある。
【００５２】
そこで、本実施形態のミスタッチ防止枠１は、外枠部１１に差込片が存在しないため、つまりキー外周の隙間に差し込む部位が設けられないため、キー外周の隙間が非常に狭いテンキー部５３であっても、その隙間に何も差し込む必要がないので、ミスタッチ防止枠１を確実に装着することができる。
【００５３】
なお、本実施形態のミスタッチ防止枠１においては、縦枠部１２および横枠部１３に差込片２２，２３を設けているため、その差込片２２，２３が、隣り合うキートップ６５，６５間に差し込まれてベース板６１に当接している。このように差込片２２，２３を介して枠部１１〜１３をベース板６１に確実に支持できるため、ミスタッチ防止枠１を安定した状態にテンキー部５３に装着固定することができる。
【００５４】
また本実施形態のミスタッチ防止枠１は、テンキー部５２に嵌め込むだけで簡単に取り付けることができるため、後付け方式によって、簡単に装着することができる。さらに装着されたミスタッチ防止枠１は、テンキー部５２から抜き取るだけで簡単に取り外すことができる。
【００５５】
また本実施形態のミスタッチ防止枠１は、各枠部１１〜１３の前端部を厚肉に形成しているため、その厚肉部によって、十分な強度を確保することができる。このため、使用によってミスタッチ防止枠１が不用意に破損してしまうような不具合を確実に防止することができる。
【００５６】
図８〜図１０はこの発明の変形例であるキーボード用ミスタッチ防止枠１を示す図である。これらの図に示すように、このミスタッチ防止枠１は、その差込片２２，２３のうち、枠部１１〜１３が交差する部分を除いた部分に、後方に向けて開放されたＵ字状の切欠部２５が形成されている。つまり差込片２２，２３は、キートップ６５の周囲４つのコーナー部に対向する部分だけに存在し、各キートップ６５の周囲４側面の全域には存在しないようになっている。
【００５７】
この変形例のミスタッチ防止枠１において、他の構成は、上記実施形態のミスタッチ防止枠１と実質的に同じであるため、同一または相当部分に同一符号を付して、重複説明は省略する。
【００５８】
この変形例のミスタッチ防止枠１においては、縦枠部１２および横枠部１３における各キートップ６５の隅部に対応する位置にのみ差込片２２，２３を残存形成しているため、換言すれば、差込片２２，２３における隣り合うキートップ６５，６５間に差し込む部分を少なくできるため、差込片２２，２３の差込作業を容易に行うことができ、ミスタッチ防止枠１を、より一層確実に装着することができる。また残存する差込片２２，２３がケース６内に挿入されて、ベース板６１に支持されるため、ミスタッチ防止枠１を安定した状態で確実にテンキー部５３に装着することができる。
【００５９】
なお、上記実施形態等においては、ミスタッチ防止枠１をテンキー部５３に装着する場合を例に挙げて説明したが、それだけに限られず、本発明のミスタッチ防止枠は、キーボードのテンキー部以外の部分に装着できるようにしても良い。
【００６０】
さらに上記実施形態においては、ミスタッチ防止枠１をキャッシュレジスターのキーボードに装着する場合を例に挙げて説明したが、それだけに限られず、本発明のミスタッチ防止枠は、パーソナルコンピュータの情報入力装置（情報入力手段）としてのキーボードに装着できるようにしても良いし、キーボードとは別体に設けられた外付けタイプのテンキーボードに装着できるようにしても良い。
【００６１】
また本発明において、縦差込片および横差込片は、必ずしも縦枠部および横枠部の全域に設けられる必要はなく、縦枠部および横枠部の一部にのみ設けられていても良い。
【００６２】
また本発明においては、枠部１２，１３と差込片２２，２３とを別体に形成しても良いし、枠部１２，１３と差込片２２，２３とを一体に形成するようにしても良い。
【００６３】
さらに本発明においては、枠部１１〜１３を一体に形成しても良いし、各枠部１１〜１３を２つ以上の部位が連結されたものによって構成しても良い。
【産業上の利用可能性】
【００６４】
この発明のキーボード用ミスタッチ防止枠は、例えばキャッシュレジスターに設けられたキーボードのミスタッチ防止用として利用することができる。
【符号の説明】
【００６５】
１：ミスタッチ防止枠
１１：外枠部
１２：縦枠部
１３：横枠部
２２：縦差込片
２３：横差込片
２５：切欠部
５：情報入力装置（情報入力手段）
５２：キーボード
５３：テンキー部
６：ケース
６１：ベース板
６３：前面開口
６５：キートップ
【図１】
0005856901.tif 000002
【図２】
0005856901.tif 000003
【図３】
0005856901.tif 000004
【図４】
0005856901.tif 000005
【図５】
0005856901.tif 000006
【図６】
0005856901.tif 000007
【図７】
0005856901.tif 000008
【図８】
0005856901.tif 000009
【図９】
0005856901.tif 000010
【図１０】
0005856901.tif 000011